(57)【要約】  電動工具用のアタッチメント部品（１００、２００、３００）であって、アタッチメント部品は、上部ハウジング部（１１１、２１１、３１１）と、下部ハウジング部（１１２、２１２、３１２）と、上部及び下部ハウジング部を相互接続するための相互接続手段とを含む細長いハウジング（１１０、２１０、３１０）を備える。電動工具の出力軸に接続するための入力歯車（１３１、２３１、３３１）は、ハウジングの第１の端部（１１３、２１３、３１３）に配置される。出力接続部（１３２ａ、２３２ａ）を備える出力歯車（１３２、２３２、３３２）は、ハウジングの第２の端部（１１４、２１４、３１４）に配置される。相互接続手段は、入力歯車を収容し、上部ハウジング部の第１の端部で第１の中心穴（１１７、２１７、３１７）を貫通して延びるスリーブ部材（１４０、２４０、３４０）と、下部ハウジング部の第１の端部で第２の中心穴（１１８、２１８、３１８）を貫通して延び、上部及び下部ハウジング部を締め付けるためにスリーブ部材に固定されるように配置される固定部材（１５０、２５０、３５０）とを備える。工具組立体は、電動工具及び上記のアタッチメント部品を備える。【選択図】      図２ｂ
2021524387.tif 000002
【特許請求の範囲】
【請求項１】
電動工具のためのアタッチメント部品（１００、２００、３００）であって、
上部ハウジング部（１１１、２１１、３１１）及び下部ハウジング部（１１２、２１２、３１２）を含む細長いハウジング（１１０、２１０、３１０）と、
前記上部ハウジング部及び前記下部ハウジング部を相互接続するための相互接続手段と、
前記ハウジングの第１の端部（１１３、２１３、３１３）に配置され、電動工具の出力シャフトに接続するための入力歯車（１３１、２３１、３３１）と、
前記ハウジングの第２の端部（１１４、２１４、３１４）に配置され、出力接続部（１３２ａ、２３２ａ）を備える出力歯車（１３２、２３２、３３２）と、
を備え、
前記相互接続手段は、前記入力歯車を収容し、前記上部ハウジング部の前記第１の端部で第１の中心穴（１１７、２１７、３１７）を貫通して延びるスリーブ部材（１４０、２４０、３４０）と、前記下部ハウジング部の前記第１の端部で第２の中心穴（１１８、２１８、３１８）を貫通して延び、前記上部ハウジング部及び前記下部ハウジング部を締め付けるために前記スリーブ部材に固定されるように配置される固定部材（１５０、２５０、３５０）とを備える、アタッチメント部品（１００、２００、３００）。
【請求項２】
前記スリーブ部材（１４０、２４０、３４０）及び／又は前記固定部（１５０、２５０、３５０）は、少なくとも１つの半径方向に突出する締め付けフランジ（１４２、２４２、３４２、１５３、２５３、３５３）を備える、請求項１に記載のアタッチメント部品（１００、２００、３００）。
【請求項３】
前記スリーブ部材（１４０、２４０、３４０）及び前記固定部（１５０、２５０、３５０）は、前記固定部を前記スリーブ部材に固定するための協働ねじ山（１４４、２４４、３４４、１５４、２５４、３５４）を備える、請求項１又は２に記載のアタッチメント部品。
【請求項４】
前記スリーブ部材（２４０、３４０）は、少なくとも１つの第１の軸受支持面を備える、請求項１から３のいずれか一項に記載のアタッチメント部品（２００、３００）。
【請求項５】
前記固定部材（１５０、２５０、３５０）は、少なくとも１つの第２の軸受支持面を備える、請求項４に記載のアタッチメント部品（１００、２００、３００）。
【請求項６】
前記スリーブ部材（１４０、２４０、３４０）は、前記入力歯車（１３１、２３１、３３１）が前記出力歯車と噛み合うことを、又は前記入力歯車と前記出力歯車（１３２、２３２）との間に配置された補助歯車（１３３、２３３）と噛み合うことを可能にするように配置された開口部（１４３、２４３）を備える、請求項１から５のいずれか一項に記載のアタッチメント部品（１００、２００、３００）。
【請求項７】
前記スリーブ部材（１４０、３４０）の半径方向に突出する締め付けフランジ（１４２、３４２）は、上部ハウジング部（１１１、３１１）の第１の中心穴（１１７、３１７）の周りに配置されている第１の外側接触面と締め付け接触状態で配置される、請求項２から６のいずれか一項に記載のアタッチメント部品（１００、３００）。
【請求項８】
前記スリーブ部材（２４０）の半径方向に突出する締め付けフランジ（２４２）は、前記締め付けフランジと上部ハウジング部（２１１）の外面との間に配置された中間構成要素（２６０）と締め付け接触状態で配置される、請求項２から６のいずれか一項に記載のアタッチメント部品（２００）。
【請求項９】
前記中間構成要素は、前記アタッチメント部品を電動工具に接続するための接続ヘッドの一部を形成する、請求項８に記載のアタッチメント部品。
【請求項１０】
前記固定部材（１５０、２５０、３５０）の半径方向に突出する締め付けフランジ（１５３、２５３、３５３）は、前記下部ハウジング部（１１２、２１２、３１２）の第２の外側接触面と締め付け接触状態で配置され、前記第２の外側接触面は、第２の中心穴（１１８、２１８、３１８）の周りに配置される、請求項２から９のいずれか一項に記載のアタッチメント部品（１００、２００、３００）。
【請求項１１】
前記アタッチメント部品を電動工具に接続するための接続ヘッド（１２０、２２０）をさらに備える、請求項１から１０のいずれか一項に記載のアタッチメント部品。
【請求項１２】
前記接続ヘッド（２２０）は、前記スリーブ部材（２４０）と一体形成される、請求項１１に記載のアタッチメント部品。
【請求項１３】
前記接続ヘッド（１２０）及び前記スリーブ部材（１４０）は、別個の構成要素から形成される、請求項１１に記載のアタッチメント部品。
【請求項１４】
前記入力歯車（１３１、２３１、３３１）は、電動工具の出力シャフトに接続するための入力接続部（１３６、２３６、３３６）と一体形成される、請求項１から１３のいずれか一項に記載のアタッチメント部品。
【請求項１５】
電動工具及び請求項１から１４のいずれか一項に記載のアタッチメント部品を備える工具組立体。
【発明の詳細な説明】
【技術分野】
【０００１】
本開示は、一般には電動工具に関する。具体的には、本開示は、電動工具用のアタッチメント部品に関する。
【０００２】
電動工具アタッチメント部品は、一般に、締められる又は緩められる継ぎ手のボルト又はナットにアクセスするのが困難なために、通常のナットランナーなどの通常の電動工具を使用できない限られた空間で使用される。アタッチメント部品は、クローフート、フロントパーツアタッチメント、オフセットアタッチメント、又はオフセット歯車ヘッドとしても知られている。以下ではアタッチメント部品として言及することにする。
【背景技術】
【０００３】
アタッチメント部品は、回転運動を、入力接続部を備えた入力歯車から出力接続部を備えた出力歯車に伝達する複数の歯車を含む。いわゆるクローズドエンドアタッチメント部品では、歯車は、一般に、細長いハウジングの内部で噛み合う関係性で一直線の列で配置される。オープンエンドアタッチメント部品では、出力歯車及び出力接続部は、パイプを取り囲むナットなどと係合するために出力接続部がパイプなどと半径方向に係合するのを可能にするためのスリットを備える。従って、オープンエンドアタッチメント部品では、出力歯車は、２つの中間歯車と噛み合い、この中間歯車は一直線に配置された複数の歯車のうちの最後の歯車と噛み合う。
【０００４】
いずれの場合も、ハウジングは、入力歯車を収納する第１の端部、出力歯車を収納する第２の端部、並びに第１及び第２の端部を連結する中間部分を備える。多くの場合、入力歯車は、電動工具の出力シャフトからトルクを伝達するための、入力歯車と同軸に配置された入力接続部に接続されるか又はこれと一体形成される。通常、電動工具の出力シャフトは、正方形駆動手段で形成され、入力接続部は、正方形駆動手段の寸法に対応する寸法を有する正方形凹部を備える。一般に使用される多くの電動工具及びアングルヘッドの正方形駆動手段は、伝達されるトルクに応じて、特定の寸法、通常は１／４インチ、３／８インチ、１／２インチ又は１インチで標準化されている。このような標準化された正方形駆動手段を受け入れるために、時として、入力接続部の直径は、トルクを出力接続部に伝達するためにハウジングに配置された歯車よりも大きくする必要がある。このことは、通常、入力接続部が、この入力接続部を取り囲む軸受で支持される必要があり、さらにアタッチメント部品のためのアダプタへの接続を形成する必要があることと相まって、多くの場合、ハウジングの第１の端部がハウジングの第２の端部及び中間部分よりも大きな寸法を有することにつながる。通常、第１の端部は、ハウジングの略円筒部分を形成し、その直径は、細長い第２の端部及び中間部分の幅よりも大きい。
【０００５】
さらに、アタッチメント部品の寸法は、歯車の数と寸法、歯車を支持する軸受、並びに入力及び出力接続部の寸法によって部分的に定められる。加えて、ハウジング部の壁厚は、アタッチメント部品の全体寸法の増加の一因となる。
【０００６】
アタッチメント部品は、通常、締結される又は緩められるファスナーに到達してアクセスが難しい限られた空間での用途で使用されるので、アタッチメント部品の寸法は、可能な限り小さくすることが非常に望ましい。アタッチメント部品を構成要素の点検、保守、及び交換を可能にするために、容易に分解して再組立てすることができればさらに有利である。
【０００７】
公知のアタッチメント部品では、通常、上部及び下部ハウジング部は、複数の固定ねじによって一緒に固定され、固定ねじは、ハウジングの周囲全体に分散されその各々が上部及び下部ハウジング部に係合する。国際公開第２０１４／０９５５１７号には、このようなアタッチメント部品が開示されている。
【０００８】
公知のアタッチメント部品では、ハウジング全体に分散された固定ねじの使用は、上部及び下部ハウジング部の壁厚が、ねじを収容して、ねじを取り囲む壁部に十分な強度をもたらすために、十分に大きいことを必要とする。従って、このように必要とされる壁厚は、逆にアタッチメント部品の合計寸法を増加させる。加えて、ハウジング部のしっかりした相互接続に必要な比較的多数の固定ねじは、アタッチメント部品の組立及び分解を面倒で時間のかかるものにする。結果的に、アタッチメント部品の内部構成要素の点検、保守、及び交換に必要な作業及び時間が増える。
【先行技術文献】
【特許文献】
【０００９】
【特許文献１】国際公開第２０１４／０９５５１７号
【発明の概要】
【発明が解決しようとする課題】
【００１０】
従って、本発明の目的は、従来の問題を解決又は少なくとも軽減する電動工具のための改良されたアタッチメント部品を提供することである。
【００１１】
別の目的は、トルク容量を維持しながら外形寸法を低減できるようなアタッチメント部品を提供することである。
【００１２】
さらなる目的は、少なくとも一部の内部構成要素の点検、保守、及び交換に必要な作業及び時間を低減するようなアタッチメント部品を提供することである。
【課題を解決するための手段】
【００１３】
従って、本開示の第１の態様によれば、電動工具のためのアタッチメント部品が提供され、アタッチメント部品は、上部ハウジング部と、下部ハウジング部と、上部及び下部ハウジング部を相互接続するための相互接続手段を含む細長いハウジングを備える。電動工具の出力シャフトに接続するための入力歯車は、ハウジングの第１の端部に配置される。出力接続部を備える出力歯車は、ハウジングの第２の端部に配置される。相互接続手段は、入力歯車を収容し、上部ハウジング部の第１の端部の第１の中心穴を貫通して延びるスリーブ部材と、下部ハウジング部の第１の端部の第２の中心穴を貫通して延び、上部及び下部ハウジング部を締め付けるためにスリーブ部材に固定されるように配置される固定部材と、を備える。
【００１４】
上部及び下部ハウジング部を締め付けるために一緒に固定することができるように、上部及び下部ハウジング部の第１の端部でそれぞれの穴を貫通して延びるスリーブ部材及び固定部材を配置することにより、少なくともハウジングの第１の端部で、上部ハウジング部と下部ハウジング部との間の十分な相互接続が達成される。このようにして、第１の端部の周りに何らかの固定ねじを配置して、ハウジングの第１の端部で、上部及び下部ハウジング部の壁部を貫通して延在させる必要はない。従って、第１の端部において、上部及び下部ハウジング部の壁厚を低減することができ、結果的にアタッチメント部品の全体寸法が減少する。このように全体寸法を低減させることにより、従来可能であったものよりもさらにいっそう限られた空間でボルト、ネジなどを締結するためのアタッチメント部品を使用することができる。
【００１５】
加えて、固定ねじ数の低減は、ハウジングの取り付け及び取り外しを容易にし、結果的に、アタッチメント部品の内部構成要素の点検、保守、及び交換に必要な時間及び労力を低減する。
【００１６】
さらに、上部及び下部ハウジング部の第１の端部に配置されたそれぞれの中心穴を貫通して延びるスリーブ部材及び固定部材の配置は、ハウジングの第１の端部に配置された内部構成要素へのアクセスを大幅に向上させる。固定部材をスリーブ部材から緩めることで、これらの２つの部材をそれぞれの中心穴から引き抜くことが可能である。これにより、ハウジングの第１の端部の内部は、外側からアクセスできるようになり、例えば、第１の歯車、第１の歯車を支持する軸受、及びハウジングの第１の端部に配置された追加の内部構成要素を上部及び下部ハウジング部を分離することなく取り外して、中心穴を介して交換することができるようになっている。このことは、内部構成要素の点検、保守、及び交換を非常に容易にして迅速化する。
【００１７】
スリーブ部材及び／又は固定パーツは、少なくとも１つの半径方向に突出する締め付けフランジを備えることができる。
【００１８】
スリーブ部材及び固定パーツは、固定パーツをスリーブ部材に固定するための協働ねじ山を備えることができる。
【００１９】
スリーブ部材は、少なくとも１つの第１の軸受支持面を備えることができる。
【００２０】
固定部材は、少なくとも１つの第２の軸受支持面を備えることができる。
【００２１】
スリーブ部材は、入力歯車が出力歯車と噛み合うことを、又は入力歯車と出力歯車との間に配置された補助歯車と噛み合うことを可能にするように配置された開口部を備えることができる。
【００２２】
スリーブ部材の半径方向に突出する締め付けフランジは、上部ハウジング部の第１の中心穴の周りに配置されている第１の外側接触面と締め付け接触状態で配置することができる。
【００２３】
もしくは、スリーブ部材の半径方向に突出する締め付けフランジは、前記締め付けフランジと上部ハウジング部の外面との間に配置された中間構成要素と締め付け接触状態で配置することができる。
【００２４】
中間構成要素は、アタッチメント部品を電動工具又はアングルヘッドに接続するための接続ヘッドの一部を形成することができる。
【００２５】
固定部材の半径方向に突出する締め付けフランジは、下部ハウジング部の第２の外部接触面と締め付け接触状態で配置することができ、第２の接触面は、第２の中心穴の周りに配置される。
【００２６】
アタッチメント部品は、アタッチメント部品を電動工具に接続するための接続ヘッドをさらに備えることができる。
【００２７】
接続ヘッドは、スリーブ部材と一体形成することができる。
【００２８】
もしくは、接続ヘッド及びスリーブ部材は、別個の構成要素を成すことができる。
【００２９】
入力歯車は、電動工具の出力シャフトに接続するための入力接続部と一体形成することができる。
【００３０】
第２の態様によれば、電動工具及び上記のアタッチメント部品を備える工具組立体が提供される。
【００３１】
工具組立体は、電動工具とアタッチメント部品との間に動作可能に配置されたアングルヘッドをさらに備えることができる。
【００３２】
電動工具は、ナットランナーとすることができる。
【００３３】
一般に、特許請求の範囲で使用されるすべての用語は、本明細書で明示的に別段の定めがない限り、本技術分野における通常の意味に従って解釈されるべきである。「単数形の要素、装置、構成要素、手段、ステップなど」へのすべての言及は、特に明記しない限り、要素、装置、構成要素、手段、ステップなどの少なくとも１つの実例を参照するものとして素直に解釈されるべきである。本明細書に開示される何らかの方法ステップは、明示的に特段の定めがない限り、開示されたのと全く同じ順番で実行される必要はない。
【００３４】
以下、本発明は、例示的に添付図面を参照して説明される。
【図面の簡単な説明】
【００３５】
【図１】本発明の第１の実施形態による、アダプタによってアングルヘッドに結合されているアタッチメント部品の斜視図である。
【図２ａ】図１に示すアタッチメント部品の斜視図である。
【図２ｂ】図１に示すアタッチメント部品の斜視分解組立図である。
【図２ｃ】図１に示すアタッチメント部品の上面図である。
【図２ｄ】図３ｃの線Ｈ−Ｈに沿った拡大断面図である。
【図２ｅ】図１に示すアタッチメント部品の２つの構成要素の斜視図である。
【図２ｆ】図１に示すアタッチメント部品の２つの構成要素の断面図である。
【図３ａ】本発明によるアタッチメント部品の第２の実施形態によるアタッチメント部品及びアタッチメント部品を電動工具又はアングルヘッドに接続するためのアダプタの斜視図である。
【図３ｂ】図３ａに示すアタッチメント部品の斜視分解組立図である。
【図３ｃ】図３ａに示すアタッチメント部品の拡大断面図である。
【図４】本発明の第３の実施形態によるアタッチメント部品の断面図である。
【発明を実施するための形態】
【００３６】
次に、本発明は、添付の本発明の特定の実施形態が示されている図面を参照して以下により完全に説明される。しかしながら、本発明は、多くの異なる形態で具体化することができ、本明細書に記載の実施形態に限定されると解釈されるべきではなく、むしろ、これらの実施形態は、本開示が詳細で完全であり、本発明の範囲を当業者に完全に伝えることができるように、例示的に提供される。同様の番号は、説明を通じて同様の要素を指す。
【００３７】
図１は、アダプタによって電動工具（図示せず）のアングルヘッド１０に取り付けられた本発明の第１の実施形態によるアタッチメント部品１００を示す。図示の実施例では、アダプタ２０は、アタッチメント部品１００をアングルヘッド２０に関して角度調整することを可能にする割り出しアダプタである。換言すれば、アタッチメント部品１００は、垂直軸の周りを回転し（図１に示すように）、アタッチメント部品の長手方向がアングルヘッドの長手方向に対して異なる角度に設定されるように、アングルヘッド１０に対して異なる回転位置に固定できる。アタッチメント部品のこのような角度調整は、通常、割り出しと呼ばれる。このようにして、限られた空間で、締められる又は緩められるナット、ボルトなどへのアクセスが容易になる。
【００３８】
図２ａ−２ｆを参照すると、アタッチメント部品１００は、クローズドエンドタイプであり、細長いハウジング１１０及び接続ヘッド１２０を備える。接続ヘッド１２０は、ハウジング１１０の上に突出しており略円筒形である。接続ヘッドは、アタッチメント部品が電動工具に接続され、電動工具に対して割り出されることを可能にするための、図１に示すアダプタ２０の対応する手段と協働するように配置された、上部半径方向突出フランジ部分１２２及び下部半径方向突出長手方向スプライン１２４を備える。
【００３９】
細長いハウジングは、上部ハウジング部１１１及び下部ハウジング部１１２を備え、この各ハウジング部は、長手方向の正中面に沿って相互接続される。ハウジング１１０は、上部ハウジング部１１１及び下部ハウジング部１１２と全く同じように第１の端部１１３及び第２の端部１１４を備える。第１の端部１１３及び第２の端部１１４は、丸みを帯びており、第１の端部１１３は、第２の端部１１４の場合の曲率半径よりも大きい曲率半径を示す。第１の端部１１３及び第２の端部１１４は、さらに略正方形断面の中間部分１１５によって連結される。中間部分１１５の側壁は、第１の端部１１３から第２の端部１１４に向かって僅かにテーパー付けされている。しかしながら、一部の代替的な実施形態では、中間部分の側壁は、互いに平行であるか又は第２の端部に向かって末広がりになることができる。上部ハウジング部１１１はさらに、第１の端部１１３の中心に配置された第１の穴１１７を備えている。下部ハウジング部１１２は、第１の端部１１３の中心に配置された第２の穴１１８（図２ｄ）を備えている。
【００４０】
平らで直線的な歯車列１３０は、ハウジング１１０に収容されている。歯車列は、アングルヘッド１０の出力軸（図示せず）からアタッチメント部品１００の出力接続部に回転運動及びトルクを伝達するために配置される。歯車列１３０は、ハウジング１１０の第１の端部１１３に配置された入力歯車１３１と、ハウジング１１０の第２の端部１１４に配置された出力歯車１３２とを備える。図示の実施例では、３つの中間歯車１３３、１３４、１３５は、入力歯車１３１と出力歯車１３２との間に配置され、入力歯車１３１が中間歯車１３３と噛み合い、中間歯車１３３もまた中間歯車１３４と噛み合い、中間歯車１３４もまた中間歯車１３５と噛み合い、中間歯車１３５もまた出力歯車１３２と噛み合うようになっている。中間歯車１３３−１３５は、それぞれのシャフト上に配置された軸受によって支持され、このシャフトは、上部ハウジング部１１１及び下部ハウジング部１１２に設けられた対応する開口部に収容される。出力歯車１３２は、ハウジング部１１１、１１２に収容された滑り軸受によって支持される。
【００４１】
入力歯車１２１は、アングルヘッド１０の出力シャフト（図示せず）で正方形駆動手段（図示せず）を受け入れるために配置されかつ寸法決めされた正方形凹部を呈する入力接続部１３６と一体形成される。通常、入力接続部１３６は、標準化された正方形駆動手段を受け入れるように構成することができる。図示の実施例では、入力接続部１３６は、３／８インチの正方形駆動手段を受け入れるように構成される。しかしながら、入力接続部は、アングルヘッド又は電動工具の他の出力シャフトへの接続用に構成することもでき、この出力シャフトは、多くの他の幾何学的形状を有することができる。さらに、入力歯車及び入力接続部は、一部の実施形態では、別個の相互接続された構成要素として形成することができる。
【００４２】
出力歯車１３２は、出力接続部１３２ａを備える。出力接続部１３２ａは、軸方向穴１３２ｂを備えた管状であり、出力歯車１３２の内部で同軸に配置される。この実施例では、出力接続部１３２ａは、穴１３２ｂに配置された内壁（見えない）を備え、壁は、正方形駆動手段を備えた標準化された工具又はねじビット（図示せず）を受け入れるように構成された正方形の貫通開口部を備える。しかしながら、出力接続部は、多くの他の方法で構成することができる。例えば、出力接続部は、締められる又は緩められるボルト、ナットなどに直接に係合するために六角形の幾何学的形状で構成することができる。また、出力接続部は、ハウジング１１０から突出する正方形駆動手段などとして配置することができる。
【００４３】
アタッチメント部品１００は、スリーブ部材１４０、固定部材１５０、及び接続ヘッド１２０をさらに備える。これらの部材１４０、１５０、１２０は、第１の端部１１３で各ハウジング部を締め付けることによって、上部ハウジング部１１１及び下部ハウジング部１１２と相互接続するように配置される。スリーブ部材１４０は、スリーブ１４１の上縁に配置された４つの半径方向外向きに突出する締め付けフランジ１４２を備えた、略円筒形のスリーブ１４１を備える。貫通開口部１４３は、スリーブの下縁から上方に延びる。貫通開口部１４３は、入力歯車１３１が中間歯車１３３と噛み合うのを可能にするように構成される。雌ねじ１４４は、スリーブ１４１の内部で下縁の近くに配置される。
【００４４】
固定部材１５０は、概して回転対称であり、上部円筒シャフト１５１、中間円筒部分１５２、及び円筒部分１５２の下縁から半径方向外向きに突出する下部締め付けフランジ１５３を備える。円筒部分１５２は、スリーブ部材１４０の雌ねじ１４４に対応する雄ねじ１５４を備えている。
【００４５】
図２ｄで最もよく分かるように、スリーブ部材１４０及び固定部材１５０及び接続ヘッド１２０は、協働して以下の方法で上部ハウジング部１１１及び下部ハウジング部１１２を締め付ける。さらに、図２ｂ及び図２ｆで最もよく分かるように、この実施形態ではスリーブ部材及び接続ヘッドは２つの別個の構成要素として形成される。アタッチメント部品１００を組み立てる際に、出力歯車１３２及び中間歯車１３３−１３５は、下部ハウジング部１１２内に位置決めされ、上部ハウジング部１１１は、位置合わせされて下部ハウジング部１１２と接触状態にされる。その後、２つのハウジング部は、固定ねじ（図示せず）によって相互接続される。固定ねじは、下部ハウジング部１１２の第２の端部１１４及び中間部分１１５の側壁に配置された固定穴１１６を貫通して挿入され、上部ハウジング部１１１の第２の端部の側壁及び中間部分に配置された対応する穴（図示せず）に螺合される。
【００４６】
その後、スリーブ部材１４０、接続ヘッド１２０、及び固定部材１５０は、上部ハウジング部１１１及び下部ハウジング部１１２の第１の端部１１３の強固かつしっかりした相互接続を実現するために取り付けられる。最初に、接続ヘッド１２０は、上部ハウジング部１１１が第１の穴１１７を取り囲むように上部ハウジング部１１１の上に位置決めされる。その後、スリーブ部材は、締め付けフランジ１４２が接続ヘッド１２０の内部に突出する半径方向フランジ１２５と支持接触するまで、接続ヘッド１２０及び第１の穴１１７を貫通して上方から挿入される。スリーブ部材１４０は、取り付け時に、貫通開口部１４３が中間歯車１３３−１３５の方に向いて、中間歯車１３３の一部が入力歯車１３１と噛み合うことが可能であるよう開口部１４３を貫通して延びることができるように、回転して方向付ける必要がある。
【００４７】
次に、第１の軸受１３７は、入力歯車１３１の内部に取り付けられる。固定部材１１５は、第２の穴１１８を貫通して下方から挿入され、外ねじ１５４は、固定部材１５０を回転させることによって、スリーブ部材の内ねじ１４４と係合する。このために、固定部材１５０の下部外面は、凹部（図示せず）を受け入れる適切な工具を備えることができる。固定部材の回転時、固定部材の締め付けフランジ１５３は、第２の穴１１８の周りで、下部ハウジング部１１２の下面に接触する。固定部材１５０の適切かつしっかりした位置決めのために、下部ハウジング部１１２は、第２の穴１１８の縁部に配置され、固定部材１５０の締め付けフランジ１５３の直径に対応する直径を有する円形の位置決め凹部１１９を備える。固定部材１５０をスリーブ部材１４０に対してこのように固定する間に、対応する締め付け力をもたらす適切な固定トルクを選択することが可能であり、これによって上部ハウジング部１１１及び下部ハウジング部１１２が共に押し付けられる。このようにして、上部ハウジング部１１１及び下部ハウジング部１１２は、ハウジング１１０の第１の端部１１３で簡単に相互接続されてしっかり保持される。
【００４８】
ハウジング部１１１、１１２が相互接続される際に、接続ヘッド１２０の中に入力接続部１３６を支持するための第２の軸受１３８が挿入される。次に、入力接続部１３６を備えた第１の歯車１３１は、接続ヘッド１２０及びスリーブ部材１４０を貫通して上方から挿入され、第１の歯車３１１の下部穴１３９及び第１の軸受１３７が固定部材１５０のシャフト１５１を受け入れる。このように取り付けられる場合、第１の歯車３１１は、第１の軸受によって支持され、第１の軸受は、固定部材のシャフト１５１上の円周方向の外部軸受支持面によって支持される。入力接続部１３６の外周面は、第２の軸受１３８によって支持され、第２の軸受１３８は、接続ヘッド１２０の内部軸受支持面によって支持される。
【００４９】
最後に、第１の歯車３１１及び入力接続部１３６は、止めワッシャ１６０を接続ヘッドの内周溝の中に挿入することによって適切な位置で軸方向に係止される。
【００５０】
図３ａ−３ｃは、本発明の第２の実施形態によるアタッチメント部品２００を示す。各図面では、割り出しアダプタ２７０に接続された場合のアタッチメント部品が示される。このアタッチメント部品２００は、オープンエンドタイプである。従って、出力接続部２３２ａ及び出力歯車２３２は、半径方向のスリット２３２ｃを備え、出力接続部は、パイプなどの上を半径方向にスライドし、パイプ上にねじ込まれてこれを取り囲むナット、ボルトなどと係合するようになっている。従って、オープンエンドアタッチメント部品は、例えば、自動車のブレーキ液パイプなどのパイプを取り囲むナットを締めるために及び緩めるために使用することができる。
【００５１】
アタッチメント部品２００は、ハウジング２１０及びこのハウジング２１０から上向きに突出する接続ヘッド２２０を備える。ハウジング２１０は、このハウジング２１０の長手方向平面に沿って相互接続された上部ハウジング部２１１及び下部ハウジング部２１０を備える。ハウジング２１０、上部ハウジング部２１１、及び下部ハウジング部２１２は、第１の端部２１３及び第２の端部２１４を備える。この実施形態では、第２の端部２１４は、長手方向にオープンである。
【００５２】
入力歯車１３１は、入力接続部２３６と一体に作られており、入力歯車１３１は、第１の端部２１３でハウジング２１０の内部に配置される。出力歯車２３２は、第２の端部２１４でハウジング２１０の内部に配置される。出力接続部２３２ａは、出力歯車２３２の内部に同軸に配置される。中間歯車２３３、２３４ａ、２３４ｂは、第１の端部２１３と第２の端部２１４との間のハウジング２１０の中間部分２１５の内部に配置される。
【００５３】
中間歯車は、入力歯車２３１及び並列に配置された２つの追加の中間歯車２３４ａ、２３４ｂと噛み合う、１つの中間歯車２３３を含む。２つの追加の中間歯車２３４ａ、２３４ｂは、出力歯車２３２と噛み合う。これによって、出力歯車２３２に配置された半径方向のスリットにもかかわらず、出力歯車２３２を完全に回転させることができる。アタッチメント部品２００は、逆転停止デバイス２６０をさらに備える。逆転停止デバイス２６０は、逆回転中、入力歯車２３１と協働して、出力接続部２３２ａ及び出力歯車２３２の半径方向のスリット２３２ｃが、ハウジングのオープンな第２の端２１４と整列するとすぐに、出力歯車の回転を停止させる。このようにして、締結又は締結解除の終了時、確実に出力接続部２３２ａをナット、ボルトなどから容易に取り外すことができる。このような逆転停止デバイスは、当業者にはよく知られており、ここではより詳細に説明しない。
【００５４】
上部ハウジング部２１１及び下部ハウジング部２１２の第２の端部２１４及び中間部分２１５は、固定ねじ２１６ａによって相互接続され、固定ねじは、下部ハウジング部の貫通穴２１６を貫通して延び、上部ハウジング部２１１の対応する穴（図示せず）に螺合される。
【００５５】
第１の端部２１３では、上部ハウジング部２１１及び下部ハウジング部２１２は、一緒に固定されるスリーブ部材２４０及び固定部材２５０によって相互接続される。この実施形態では、スリーブ部材２４０は、接続ヘッド２２０と一体形成され、これらの部材が単一の構成要素を形成するようになっている。スリーブ部材２４０は、逆転停止デバイス２６０の環状開口部及び上部ハウジング部２１１の第１の端部に配置された第１の中心穴２１７を貫通して延びる。固定部材２５０は、下部ハウジング部２１２の第１の端部２１３に配置された第２の中心穴２１８を貫通して延びる。
【００５６】
スリーブ部材２４０は、逆転停止デバイス２６０の上面に当接する第１の半径方向に突出する締め付けフランジ２４２を備える。逆転停止デバイス２６０の下面は、上部ハウジング部２１１の上面に当接して第１の穴２１７を取り囲む。固定部材２５０は、固定部材２５０の中間部分２５１に配置されかつスリーブ部材２４０の底壁部分２４５に配置された対応する雌ねじ２４４と協働する雄ねじ２５４によって、スリーブ部材２４０に固定される。固定部材２５０は、下部ハウジング部２１２の凹型の下面に当接する、半径方向に突出する締め付けフランジ２５３を備える。固定部材２５０をスリーブ部材２４０に回転で締め付けることにより、上部ハウジング部２１１及び下部ハウジング部２１２は、逆転停止デバイス２６０及び固定部材２５０の締め付けフランジ２５３を介して、スリーブ部材の第１の締め付けフランジ２４２によって締め付けられる。
【００５７】
加えて、この実施形態では、スリーブ部材２４０は、アダプタ２７０の一部を形成する第１のアダプタリング２７１の下部の半径方向内向きに突出する部分に当接するように配置された第２の半径方向外向きに突出するフランジ２４６を備える。アダプタ２７０は、第２のアダプタリングをさらに備える。図３ｂは、２つのこのような代替的な第２のアダプタリング２７２、２７３を示す。
【００５８】
加えて、図面に示されるように、スリーブ部材２４０及び接続ヘッド２２０によって形成される構成要素、並びに逆転停止デバイス２６０は、これらの構成要素の間の相対回転を防止するための上部ハウジング部２１１の対応する手段と協働する外形係止手段を備える。
【００５９】
この実施形態では、スリーブ部材２４０及び固定部材２５０は、第１の端部２１３で上部ハウジング部２１１及び下部ハウジング部２１２と相互接続するためだけでなく、逆転停止デバイス２６０及びアダプタ２７０をアタッチメント部品２００に固定するためにも使用される。
【００６０】
さらに、この実施形態では、固定部材２５０は、上向きに延びるシャフト２５１を備え、シャフトの円周面は、入力歯車２３１の内部に配置された第１の軸受２３７の支持面を形成する。また、スリーブ部材２４０の上部には、入力接続部２３６の周囲に支持的に配置された第２の軸受２３８のための軸受支持面を形成する内部円筒面２４５がある。
【００６１】
上記の第１の実施形態と同様に、スリーブ部材２４０は、中間歯車２３３が入力歯車２３１と噛み合うことを可能にするための開口部２４３を備える。
【００６２】
図４には第３の実施形態によるアタッチメント部品が示される。アタッチメント部品３００は、上部ハウジング部３１１及び下部ハウジング部３１２を含むハウジング３１０を備える。ハウジング３１０、上部ハウジング部３１１及び下部ハウジング部３１２は、第１の端部３１３、第２の端部３１４、及び中間部分３１５を備える。第１の中心穴３１７は、上部ハウジング部３１１の第１の端部に配置され、第２の穴３１８は、下部ハウジング部３１２の第１の端部３１３に配置される。２つの中間歯車及び出力歯車を備える駆動装置（図示せず）は、ハウジング３１０の第２の端部３１４及び中間部分３１５の内部に配置される。第１の端部３１３には、外部に突出する入力接続部３３６と一体形成された入力歯車３３１が配置される。第１の端部３１３において、上部ハウジング部３１１及び下部ハウジング部３１２は、一緒に固定されたスリーブ部材３４０及び固定部材２５０によって相互接続される。
【００６３】
スリーブ部材３４０は、第１の直径を有する下部円筒部分３４１ａと、第１の直径よりも大きい第２の直径を有する上部円筒部分３４１ｂとを備える。下部３４１ａと上部３４１ｂ部分との間の結合部では、締め付けフランジ３４２が形成され、締め付けフランジ３４２は下部３４１ａの上縁から半径方向外向きに突出する。下端では、スリーブ部材３４０は、下部円筒部分３４１ａの下縁から内向きに延びる底壁部分３４５を備える。底壁部分３４５は、雌ねじ３４４を備えた中心の円形貫通開口部を備える。
【００６４】
固定部材３５０は、上部の垂直方向に延びるシャフト３５１、雄ねじ３５４を備えた円筒形中間部分３５２、及び下部の半径方向外向きに突出する締め付けフランジ３５３を備える。
【００６５】
上部ハウジング部３１１及び下部ハウジング部３１２の第１の端部３１３を相互接続するために、スリーブ部材３４０の下部円筒部分３４１ａは、スリーブ部材の締め付けフランジ３４２が第１の穴３１７の周りの上面と接触するまで、第１の穴３１７を通して上から挿入される。固定部材３５０は、第２の穴３１８を通して下から挿入される。固定部材３５０を回転させることにより、中間部分３５２の雄ネジ３５４は、底壁部分３４５の雌ねじ３４４と係合する。固定部材３５０の継続的な締結回転により、固定部材３５０の締め付けフランジ３５３が第２の穴３１８の周りの凹面と接触することになる。このようにして、上部ハウジング部３１１及び下部ハウジング部３１２は、２つの締め付けフランジ３４２、３５３の間で締め付けられ、結果的に、強固かつしっかり相互接続される。この実施形態では、固定部材３５０のシャフト３５１は、入力歯車３３１の内部に配置された第１の軸受３３７の軸受支持面を形成する。スリーブ部材３４０の上部３４１ｂの内側円筒面は、入力接続部３３６の外側に配置された第２の軸受３３８のための支持面を形成する。
【００６６】
図示されていない実施形態では、スリーブ部材及び固定部材は、ねじ山以外の固定手段を備える。このような固定手段の例としては、バヨネット式の協働係合部材、スナップ係合部材、及び他の外形係止構成を挙げることができる。
【００６７】
別の図示されていない実施形態では、スリーブ部材の締め付けフランジは、接続ヘッド、又は逆転停止デバイス以外の中間構成要素と締め付け接触状態になるように配置され、中間構成要素は、この締め付けフランジと上部ハウジング部との間に配置される。このような中間構成要素の実施例は、アダプタの一部を形成するアダプタリング、及び、他の補助デバイスの一部を形成するリング、スリーブ、及び他の構成要素を備える。
【００６８】
様々な実施形態の上記の説明から容易に理解されるように、上部ハウジング部及び下部ハウジング部を締め付けるための一緒に固定されたスリーブ部材及び固定部材の構成は、上部ハウジング部と下部ハウジング部との間の強固かつしっかりした相互接続を達成するための迅速かつ容易な方法を提供する。加えて、この構成は、入力歯車、入力接続部、これらの構成要素を支持する軸受、及びハウジングの第１の端部の内部に配置された何らかの他の構成要素の点検、保守、及び交換を容易にするための迅速かつ容易な取り外しを可能にする。このため、これらの内部構成要素は、固定部材及び場合によってはスリーブ部材を単に取り外すことによって、第１の穴及び／又は第２の穴を通して直接アクセスすること、取り外すこと、及び交換することができることに留意されたい。また、この構成は、第１の端部の周りで、ハウジング部の側壁を貫通する複数の固定ねじなどを設ける必要性を排除する。このことは、結果的に、ハウジング部の材料の厚さを低減し、これによってアタッチメント部品の全体的寸法を低減するのを可能にする。
【００６９】
本発明は、主としていくつかの実施形態を参照して上述されている。しかしながら、当業者であれば容易に理解できるように、上記に開示されたもの以外の実施形態は、同様に特許請求の範囲によって定義される本発明の範囲内で可能である。
【符号の説明】
【００７０】
１１１  上部ハウジング部
１１２  下部ハウジング部
１１３  第１の端部
１１６  固定穴
１１７  第１の穴
１２０  接続ヘッド
１２２  フランジ部分
１２４  長手方向スプライン
１３０  歯車列
１３１  入力歯車
１３２  出力歯車
１３２a  出力接続部
１３２ｂ  軸方向穴
１３３  中間歯車
１３４  中間歯車
１３５  中間歯車
１３６  入力接続部
１３７  第１の軸受
１３８  第２の軸受
１４０  スリーブ部材
１４１  スリーブ
１４２  締め付けフランジ
１４３  貫通開口部
１４４  雌ねじ
１５０  固定部材
１５１  シャフト
１５２  円筒部分
１５３  締め付けフランジ
１５４  雄ねじ
１６０  止めワッシャ
【図１】
2021524387.tif 000003
【図２ａ】
2021524387.tif 000004
【図２ｂ】
2021524387.tif 000005
【図２ｃ】
2021524387.tif 000006
【図２ｄ】
2021524387.tif 000007
【図２ｅ】
2021524387.tif 000008
【図２ｆ】
2021524387.tif 000009
【図３ａ】
2021524387.tif 000010
【図３ｂ】
2021524387.tif 000011
【図３ｃ】
2021524387.tif 000012
【図４】
2021524387.tif 000013
【国際調査報告】
2021524387.tif 000014
2021524387.tif 000015